(57)【要約】【課題】自動販売機のモード切り換え作業を容易する。【解決手段】第１及び第２商品庫４Ａ，４Ｂの両方の庫内を蒸発器１０により冷却する２冷庫並列モードと、第１商品庫４Ａの庫内を蒸発器１０により冷却しかつ第２商品庫４Ｂの庫内を加熱手段１４により加熱する冷温庫並列モードとの切り換えを可能にするのに、蒸発器１０により冷却した空気を第１及び第２商品庫４Ａ，４Ｂの両方に供給する２冷庫並列モード用の切換状態と、蒸発器１０により冷却した空気を第１商品庫４Ａにのみ供給する冷温庫並列モード用の切換状態とに冷却空気の供給形態を切り換える切換手段１２を設ける自動販売機において、付与される電気的な指令信号に応じ２冷庫並列モード用の切換状態と冷温庫並列モード用の切換状態との切り換えを実行する電動式の駆動手段２５を切換手段１２に装備する。【選択図】　　　　図１０
2004046704.tif 000002
【特許請求の範囲】
【請求項１】
庫内商品の払い出しを互いに独立に行なう第１及び第２の商品庫を設けるとともに、圧縮機―凝縮器―膨張機構―蒸発器―圧縮機の順に冷媒を循環させる蒸気圧縮式の冷凍回路を設け、
第１及び第２商品庫の両方の庫内を前記蒸発器により冷却する２冷庫並列モードと、第１商品庫の庫内を前記蒸発器により冷却しかつ第２商品庫の庫内を加熱手段により加熱する冷温庫並列モードとの切り換えを可能にするのに、
前記蒸発器により冷却した空気を第１及び第２商品庫の両方に供給する２冷庫並列モード用の切換状態と、前記蒸発器により冷却した空気を第１商品庫にのみ供給する冷温庫並列モード用の切換状態とに冷却空気の供給形態を切り換える切換手段を設けてある自動販売機であって、
付与される電気的な指令信号に応じ２冷庫並列モード用の切換状態と冷温庫並列モード用の切換状態との切り換えを実行する電動式の駆動手段を前記切換手段に装備してある自動販売機。
【請求項２】
第１商品庫の庫内空気を前記蒸発器の風路部を通じて循環させる第１庫内ファン、及び、第２商品庫の庫内空気を前記加熱手段の風路部を通じて循環させる第２庫内ファンを設け、
前記切換手段として、第２庫内ファンによる循環空気を迂回風路を通じて前記蒸発器の風路部に通過させる状態で循環させる迂回循環状態と、第２庫内ファンによる循環空気を前記迂回風路に対する短絡風路を通じて前記蒸発器の風路部に対し非通過の状態で循環させる短絡循環状態とに、空気循環経路を切り換える切換ダンパ装置を設けてある請求項１記載の自動販売機。
【請求項３】
前記蒸発器の風路部を、前記第１庫内ファンによる循環空気の通過経路部分と、前記第２庫内ファンによる循環空気の通過経路部分とに仕切により仕切ってある請求項２記載の自動販売機。
【請求項４】
切換ダンパ装置は、第１及び第２のダンパ羽根を備え、
第１商品庫と第２商品庫との仕切部に形成された前記迂回風路の入口側風路部分及び出口側風路部分を第１及び第２ダンパ羽根により各別に閉じて、第２商品庫の側に形成された前記短絡風路を開く短絡循環用位置と、
前記短絡風路を第１及び第２ダンパ羽根の両方又は一方により閉じて、前記迂回風路の入口側風路部分及び出口側風路部分を開く迂回循環用位置とにわたり、第１及び第２ダンパ羽根を前記駆動手段により切り換わり動作させる構成にしてある請求項２又は３記載の自動販売機。
【請求項５】
前記第１及び第２ダンパ羽根を、互いの回転軸芯が平行で、それら回転軸芯上に各別に配置した連動ギアどうしの咬合により互いに対象的に回動する形態で連動動作して、短絡循環用位置と迂回循環用位置とにわたり切り換わり動作する構成にしてある請求項４記載の自動販売機。
【請求項６】
第１及び第２ダンパ羽根が短絡循環用位置と迂回循環用位置とのうちの一方の位置から他方の位置に至ったことを検出するセンサを設け、
前記切換ダンパ装置を、前記一方の位置から前記他方の位置への切り換え時には、前記センサにより第１及び第２ダンパ羽根が前記他方の位置に至ったことが検出されたとき前記駆動手段を停止して、第１及び第２ダンパ羽根を前記他方の位置で停止させ、
かつ、前記他方の位置から前記一方の位置への切り換え時には、前記駆動手段の起動時点からの経過時間が設定時間に至ったとき前記駆動手段を停止して、第１及び第２ダンパ羽根を前記一方の位置で停止させる構成にしてある請求項４又は５記載の自動販売機。
【請求項７】
前記第１及び第２ダンパ羽根において、それらダンパ羽根が短絡循環用位置にあるときに前記循環風路の入口側風路部及び出口側風路部に対し閉塞作用する羽根部分に断熱材を付設してある請求項４〜６のいずれか１項に記載の自動販売機。
【発明の詳細な説明】
【０００１】
【発明の属する技術分野】
本発明は、庫内の収納商品に対して冷却や加熱を施す自動販売機に関し、
詳しくは、庫内商品の払い出しを互いに独立に行なう第１及び第２の商品庫を設けるとともに、圧縮機―凝縮器―膨張機構―蒸発器―圧縮機の順に冷媒を循環させる蒸気圧縮式の冷凍回路を設け、
第１及び第２商品庫の両方の庫内を前記蒸発器により冷却する２冷庫並列モードと、第１商品庫の庫内を前記蒸発器により冷却しかつ第２商品庫の庫内を加熱手段により加熱する冷温庫並列モードとの切り換えを可能にするのに、
前記蒸発器により冷却した空気を第１及び第２商品庫の両方に供給する２冷庫並列モード用の切換状態と、前記蒸発器により冷却した空気を第１商品庫にのみ供給する冷温庫並列モード用の切換状態とに冷却空気の供給形態を切り換える切換手段を設けてある自動販売機に関する。
【０００２】
【従来の技術】
従来、上記形式の自動販売機としては、図１１に示す如く、庫内商品の払い出しを各別に行なう第１及び第２商品庫４Ａ，４Ｂを設けるのに対し、第１商品庫４Ａの庫内空気ａ１を冷却する蒸発器１０を設けるとともに、第２商品庫４Ｂの庫内空気ａ２を加熱する加熱手段１４（一般に電気ヒータ）を設け、そして、上記切換手段として２枚の格子状の開閉板４０，４１を重ね合わせた構造の図１２に示す如き手動式シャッター装置４２を第１商品庫４Ａと第２商品庫４Ｂとの間の仕切壁１８に設けたものがある。
【０００３】
つまり、この自動販売機では、手動による開閉板４０，４１の相対的な摺動操作で、それら開閉板４０，４１の開口部４０ａ，４１ａどうしが重なり合う図１２（イ）に示す如き開状態にシャッター装置４２を切り換えて、第１商品庫４Ａと第２商品庫４Ｂとを連通させることで、蒸発器１０により冷却した空気を第１商品庫４Ａに供給するとともに、その冷却空気をシャッター装置４２を通じて第２商品庫４Ｂにも供給する２冷庫並列モード用の切換状態を現出し、この２冷庫並列モード用の切換状態において、加熱手段１４の加熱機能を停止させた状態で蒸発器１０を冷却機能させることにより、第１及び第２商品庫４Ａ，４Ｂの両方の庫内を蒸発器１０により冷却する２冷庫並列モードを実現する。
【０００４】
また、手動による開閉板４０，４１の相対的摺動操作で、それら開閉板４０，４１夫々の開口部４０ａ，４１ａが相互いの開閉板４０，４１の目隠し部４０ｂ，４１ｂにより閉塞される図１２（ロ）に示す如き閉状態にシャッター装置４２を切り換えて、第１商品庫４Ａと第２商品庫４Ｂとの連通を断つことで、蒸発器１０により冷却した空気を第１商品庫４Ａにのみ供給する冷温庫並列モード用の切換状態を現出し、この冷温庫並列モード用の切換状態において、蒸発器１０を冷却機能させるとともに加熱手段１４を加熱機能させることにより、第１商品庫４Ａの庫内を蒸発器１０により冷却しかつ第２商品庫４Ｂの庫内を加熱手段１４により加熱する冷温庫並列モードを実現する。
【０００５】
【発明が解決しようとする課題】
しかし、上記した従来の自動販売機では、２冷庫並列モードと冷温庫並列モードとの切り換え作業の際、シャッター装置４２の切り換え操作として手動による開閉板４０，４１の相対的摺動操作が必要な為、そのモード切り換え作業に手間と時間を要する問題があり、また、そのモード切り換えを事前の切換日時の指定だけで済ませるといったことに対応できない問題もあった。
【０００６】
この実情に鑑み、本発明の主たる課題は、２冷庫並列モードと冷温庫並列モードとの切り換えについての上記問題を効果的に解消する点にある。
【０００７】
【課題を解決するための手段】
〔１〕請求項１に係る発明は自動販売機に係り、その特徴は、
庫内商品の払い出しを互いに独立に行なう第１及び第２の商品庫を設けるとともに、圧縮機―凝縮器―膨張機構―蒸発器―圧縮機の順に冷媒を循環させる蒸気圧縮式の冷凍回路を設け、
第１及び第２商品庫の両方の庫内を前記蒸発器により冷却する２冷庫並列モードと、第１商品庫の庫内を前記蒸発器により冷却しかつ第２商品庫の庫内を加熱手段により加熱する冷温庫並列モードとの切り換えを可能にするのに、
前記蒸発器により冷却した空気を第１及び第２商品庫の両方に供給する２冷庫並列モード用の切換状態と、前記蒸発器により冷却した空気を第１商品庫にのみ供給する冷温庫並列モード用の切換状態とに冷却空気の供給形態を切り換える切換手段を設ける構成において、
付与される電気的な指令信号に応じ２冷庫並列モード用の切換状態と冷温庫並列モード用の切換状態との切り換えを実行する電動式の駆動手段を前記切換手段に装備してある点にある。
【０００８】
つまり、この構成によれば、電気的指令信号の付与だけで、２冷庫並列モード用切換状態と冷温庫並列モード用切換状態とへの切換手段の切り換えが電動式の駆動手段により実行されるから、先述した従来の自動販売機の如く手動により開閉板を摺動操作して切換手段としてのシャッター装置を切り換え操作するに比べ、２冷庫並列モードと冷温庫並列モードとの切り換え作業に伴う切換手段の切り換え操作を容易にすることができ、これにより、２冷庫並列モードと冷温庫並列モードとの切り換え作業を従前に比べ簡便にすることができる。
【０００９】
また、電気的な指令信号により駆動手段に切り換えを実行させるから、タイマーを使用すれば、事前に指定した日時に至ったとき駆動手段に切り換えを実行させることも可能になり、これにより、２冷庫並列モードと冷温庫並列モードとの切り換えを事前の切換日時の指定だけで済ませるようにすることもできる。
【００１０】
なお、請求項１に係る発明の実施において、モード切換指令としての電気的な指令信号により加熱手段の発停操作などと駆動手段による切換手段の切り換え操作とを一挙に実行させる構成を採れば、加熱手段に対する発停指令とは別の専用の電気的指令信号の付与により切換手段の切り換えを駆動手段に実行させる構成を採るに比べ、モード切り換え時における必要操作数を少なくして、２冷庫並列モードと冷温庫並列モードとの切り換え作業を一層簡便にすることができる。
【００１１】
〔２〕請求項２に係る発明は、請求項１に係る発明の実施に好適な実施形態を特定するものであり、その特徴は、
第１商品庫の庫内空気を前記蒸発器の風路部を通じて循環させる第１庫内ファン、及び、第２商品庫の庫内空気を前記加熱手段の風路部を通じて循環させる第２庫内ファンを設け、
前記切換手段として、第２庫内ファンによる循環空気を迂回風路を通じて前記蒸発器の風路部に通過させる状態で循環させる迂回循環状態と、第２庫内ファンによる循環空気を前記迂回風路に対する短絡風路を通じて前記蒸発器の風路部に対し非通過の状態で循環させる短絡循環状態とに、空気循環経路を切り換える切換ダンパ装置を設けてある点にある。
【００１２】
つまり、この構成では、上記の迂回循環状態において第２庫内ファンを運転すれば、第２商品庫の庫内空気をその循環において蒸発器風路部の通過過程で蒸発器により冷却できるから、加熱手段の加熱機能を停止させて蒸発器を冷却機能させる状態下で、第１庫内ファンの運転とともに、迂回循環状態での第２庫内ファンの運転を実施すれば、第１及び第２商品庫の両方の庫内を蒸発器により冷却する２冷庫並列モードを実現できる。
【００１３】
また、蒸発器を冷却機能させるとともに加熱手段を加熱機能させる状態下で、第１庫内ファンの運転とともに、上記短絡循環状態での第２庫内ファンの運転を実施すれば、第１商品庫の庫内を蒸発器により冷却し、かつ、第２商品庫の庫内を加熱手段により加熱する冷温庫並列モードを実現できる。
【００１４】
そして、上記構成によれば、２冷庫並列モードにおいて第２商品庫の庫内空気を第２庫内ファンの運転により迂回風路を通じて蒸発器の風路部に対し確実に通過させることができるから、先述した従来のシャッター装置を駆動手段により開状態に切り換えて第１商品庫と第２商品庫とを単に連通させることで、蒸発器により冷却した空気を第１商品庫に供給するとともに、その冷却空気をシャッター装置を通じ第２商品庫にも供給するようにして、２冷庫並列モードを実施する形態を採るに比べ、より確実に２冷庫並列モードにおいて第１商品庫と同等の高い庫内冷却機能を第２商品庫についても得るようにすることができる。
【００１５】
また、２冷庫並列モードと冷温庫並列モードとの夫々において、循環途中で迂回風路を通過させるか短絡風路を通過させるかが異なるだけのほぼ同等の循環形態で第２商品庫の庫内空気を第２庫内ファンの運転により循環させることができるから、２冷庫並列モードと冷温庫並列モードとのいずれにおいても同等の高い庫内温度調整機能を第２商品庫について得ることができる。
【００１６】
なお、第１商品庫については、庫内空気を２冷庫並列モード及び冷温庫並列モードの夫々において第１庫内ファンの運転により確実に蒸発器の風路部を通じてかつ同等の循環形態で循環させるから、２冷庫並列モードと冷温庫並列モードとのいずれにおいても同等の高い庫内冷却機能及び庫内温度調整機能を得ることができる。
【００１７】
請求項２に係る発明の実施にあたり、２冷庫並列モードの具体的な実施形態としては、加熱手段の加熱機能を停止させて蒸発器を冷却機能させる状態下において、第１庫内ファンを連続的ないし間欠的に運転するのに対し、迂回循環状態での第２庫内ファンの運転を連続的ないし間欠的に実施する形態、あるいはまた、第１庫内ファンの運転と迂回循環状態での第２庫内ファンの運転とを交互的に実施する形態など、種々の形態を採ることができる。
【００１８】
〔３〕請求項３に係る発明は、請求項２に係る発明の実施に好適な実施形態を特定するものであり、その特徴は、
前記蒸発器の風路部を、前記第１庫内ファンによる循環空気の通過経路部分と、前記第２庫内ファンによる循環空気の通過経路部分とに仕切により仕切ってある点にある。
【００１９】
つまり、この構成によれば、２冷庫並列モードを現出する迂回循環状態において第１庫内ファンによる循環空気（第１商品庫の庫内空気）と第２庫内ファンによる循環空気（第２商品庫の庫内空気）との両方を蒸発器の風路部に通過させる構成を採りながらも、蒸発器の風路部において第１庫内ファンによる循環空気と第２庫内ファンによる循環空気との混合が生じることを仕切により確実に防止することができて、両循環空気の混合に原因する第１及び第２商品庫夫々の庫内温度調整機能の低下を確実に防止することができ、特に、２冷庫並列モードにおいて第１庫内ファンによる循環空気と第２庫内ファンによる循環空気とを蒸発器の風路部に対し同時に通過させる形態を採る場合に極めて有効である。
【００２０】
〔４〕請求項４に係る発明は、請求項２又は３に係る発明の実施に好適な実施形態を特定するものであり、その特徴は、
切換ダンパ装置は、第１及び第２のダンパ羽根を備え、
第１商品庫と第２商品庫との仕切部に形成された前記迂回風路の入口側風路部分及び出口側風路部分を第１及び第２ダンパ羽根により各別に閉じて、第２商品庫の側に形成された前記短絡風路を開く短絡循環用位置と、
前記短絡風路を第１及び第２ダンパ羽根の両方又は一方により閉じて、前記迂回風路の入口側風路部分及び出口側風路部分を開く迂回循環用位置とにわたり、第１及び第２ダンパ羽根を前記駆動手段により切り換わり動作させる構成にしてある点にある。
【００２１】
つまり、この構成では、第１及び第２ダンパ羽根を短絡循環用位置に切り換えることで、第２庫内ファンによる循環空気を迂回風路に対する短絡風路を通じて蒸発器の風路部に対し非通過の状態で循環させる前記短絡循環状態を現出し、また、第１及び第２ダンパ羽根を迂回循環用位置に切り換えることで、第２庫内ファンによる循環空気を迂回風路を通じて蒸発器の風路部に通過させる状態で循環させる前記迂回循環状態を現出する。
【００２２】
そして、上記構成によれば、短絡循環状態において、第１商品庫と第２商品庫との仕切部に形成された迂回風路の入口側風路部分及び出口側風路部分を第１及び第２ダンパ羽根により各別に閉じるから、迂回風路の入口側風路部分あるいは出口側風路部分の一方のみをダンパ羽根により閉じて短絡循環状態を現出する構成に比べ、短絡循環状態を採る冷温庫並列モードにおいて、迂回風路途中にある蒸発器での発生冷気が迂回風路を通じて第２商品庫の庫内に侵入することをより確実に防止することができ、これにより、冷温庫並列モードでの第２商品庫の庫内温度調整機能を一層効果的に高めることができ、また、上記冷気侵入によるエネルギロスを抑止して省エネ効果を高めるとともに運転コストを低減することができる。
【００２３】
〔５〕請求項５に係る発明は、請求項４に係る発明の実施に好適な実施形態を特定するものであり、その特徴は、
前記第１及び第２ダンパ羽根を、互いの回転軸芯が平行で、それら回転軸芯上に各別に配置した連動ギアどうしの咬合により互いに対象的に回動する形態で連動動作して、短絡循環用位置と迂回循環用位置とにわたり切り換わり動作する構成にしてある点にある。
【００２４】
つまり、この構成によれば、第１ダンパ羽根と第２ダンパ羽根とを連動動作させるための両ダンパ羽根間の伝動構造を上記連動ギアだけで済ませることができ、これにより、切換ダンパ装置の装置構造を簡略にして装置コストを低減し得るとともに、切換ダンパ装置を小型化して自動販売機における機内スペースの利用効率を高めることができる。
【００２５】
〔６〕請求項６に係る発明は、請求項４又は５に係る発明の実施に好適な実施形態を特定するものであり、その特徴は、
第１及び第２ダンパ羽根が短絡循環用位置と迂回循環用位置とのうちの一方の位置から他方の位置に至ったことを検出するセンサを設け、
前記切換ダンパ装置を、前記一方の位置から前記他方の位置への切り換え時には、前記センサにより第１及び第２ダンパ羽根が前記他方の位置に至ったことが検出されたとき前記駆動手段を停止して、第１及び第２ダンパ羽根を前記他方の位置で停止させ、
かつ、前記他方の位置から前記一方の位置への切り換え時には、前記駆動手段の起動時点からの経過時間が設定時間に至ったとき前記駆動手段を停止して、第１及び第２ダンパ羽根を前記一方の位置で停止させる構成にしてある点にある。
【００２６】
つまり、駆動手段による第１及び第２ダンパ羽根の切り換え操作において、第１及び第２ダンパ羽根を短絡循環用位置及び迂回循環用位置の夫々で的確に停止させて、切換ダンパ装置を適切に切り換わり動作させるには、第１及び第２ダンパ羽根が短絡循環用位置に至ったことを検出する第１センサ、及び、第１及び第２ダンパ羽根が迂回循環用位置に至ったことを検出する第２センサを設けて、迂回循環用位置から短絡循環用位置への切り換え時には、第１センサにより第１及び第２ダンパ羽根が短絡循環用位置に至ったことが検出されたとき駆動手段を停止し、また、短絡循環用位置から迂回循環用位置への切り換え時には、第２センサにより第１及び第２ダンパ羽根が迂回循環用位置に至ったことが検出されたとき駆動手段を停止するといった方式が考えられるが、この場合、第１及び第２の二つのセンサを要するため、切換ダンパ装置の装置構造が複雑になるとともに装置コストが高く付く。
【００２７】
この点、上記構成によれば、センサを第１及び第２ダンパ羽根が短絡循環用位置と迂回循環用位置とのうちの一方の位置から他方の位置に至ったことを検出するセンサだけで済ませながらも、一方の位置から他方の位置への切り換え時には、そのセンサの検出情報に基づく駆動手段の停止をもって第１及び第２ダンパ羽根を他方の位置で的確に停止させることができ、また、他方の位置から一方の位置への切り換え時には、先の他方の位置での停止においてセンサの検出情報に基づく駆動手段の停止により第１及び第２ダンパ羽根が他方の位置で的確に停止していることをもって保証される状態で、駆動手段の起動時点からの経過時間が設定時間（すなわち、他方の位置から一方の位置への切り換えに要する時間）に至ったときの駆動手段の停止により、第１及び第２ダンパ羽根を一方の位置で的確に停止させることができる。
【００２８】
〔７〕請求項７に係る発明は、請求項４〜６のいずれか１項に係る発明の実施に好適な実施形態を特定するものであり、その特徴は、
前記第１及び第２ダンパ羽根において、それらダンパ羽根が短絡循環用位置にあるときに前記循環風路の入口側風路部及び出口側風路部に対し閉塞作用する羽根部分に断熱材を付設してある点にある。
【００２９】
つまり、この構成によれば、短絡循環状態を採る冷温庫並列モードにおいて、第１商品庫と第２商品庫との仕切部には断熱を施してあるにもかかわらず、その仕切部に形成された迂回風路の入口風路部分及び出口風路部分を閉じている状態にある第１及び第２ダンパ羽根での熱伝導により第１商品庫の庫内冷熱が加熱状態にある第２商品庫に漏出する（換言すれば、第２商品庫の庫内温熱が冷却状態にある第１商品庫に漏出する）といったことを、ダンパ羽根に付設した上記断熱材により効果的に防止することができ、これにより、省エネ効果を高めて運転コストを一層低減し得るとともに、冷温庫並列モードにおける第１商品庫の庫内冷却機能及び第２商品の庫内加熱機能を一層高めることができる。
【００３０】
【発明の実施の形態】
図１は、缶飲料やペットボトル飲料を販売する自動販売機を示し、外扉１を備える機体ケース２の内部には共通の内扉３を備える第１〜第３の商品庫４Ａ〜４Ｃを形成してあり、各商品庫４Ａ〜４Ｃは内扉３及び外扉１を閉じた状態において気密断熱状態になる。
【００３１】
図１〜図４に示す如く、各商品庫４Ａ〜４Ｃの庫内には、商品Ｓを左右横向き姿勢で積み重ねて収納する複数ないし単数のストッカ５を設け、各商品庫４Ａ〜４Ｃの庫内においてストッカ５の下方には、各ストッカ５の下端部に装備の払出装置６により各ストッカ５から一本ずつ落下送出される商品Ｓを外扉１に形成の商品払出口７へ導くシューター８を設けてある。
【００３２】
第１商品庫４Ａは収納商品Ｓの冷却処理のみを行なう冷却専用庫、第２及び第３商品庫４Ｂ，４Ｃは収納商品Ｓの冷却処理と加熱処理との選択が可能な冷温切換庫であり、図２〜図５に示す如く、第１商品庫４Ａにおけるシューター８の下方には第１商品庫４Ａの庫内を温調する第１温調ユニット９Ａを装備し、第２商品庫４Ｂにおけるシューター８の下方には第２商品庫４Ｂの庫内を温調する第２温調ユニット９Ｂを装備し、同様に第３商品庫４Ｃにおけるシューター８の下方には第３商品庫４Ｃの庫内を温調する第３温調ユニット９Ｃを装備してある。
【００３３】
そして、第１温調ユニット９Ａには、冷却手段としての蒸発器１０と第１庫内ファン１１とを装備し、第２温調ユニット９Ｂには、切換ダンパ装置１２と第２庫内ファン１３と加熱手段としての電気ヒータ１４とを装備し、第３温調ユニット９Ｃには、冷却手段としての第３商品庫用の蒸発器１０Ａと第３庫内ファン１５と加熱手段としての電気ヒータ１６とを装備してある。
【００３４】
各商品庫４Ａ〜４Ｃの後壁部には、各庫内ファン１１，１３，１５の運転により上端から各商品庫４Ａ〜４Ｃの庫内空気ａ１〜ａ３を吸入して、その吸入空気ａ１〜ａ３を各温調ユニット９Ａ〜９Ｃに導く庫内ダクト１７を設けてあり、また、各商品庫４Ａ〜４Ｃのシューター８は、各庫内ファン１１，１３，１５の運転により各温調ユニット９Ａ〜９Ｃに導かれた後、各温調ユニット９Ａ〜９Ｃから送出される空気ａ１〜ａ３の通過を許す多孔構造にしてあり、これにより、各庫内ファン１１，１３，１５を運転することで各商品庫４Ａ〜４Ｃの庫内空気ａ１〜ａ３を各温調ユニット９Ａ〜９Ｃに通過させる形態（すなわち、各温調ユニット９Ａ〜９Ｃに装備した蒸発器１０，１０Ａの風路部や電気ヒータ１４，１６の風路部に通過させる形態）で庫内循環させるようにしてある。
【００３５】
９ｗは各温調ユニット９Ａ〜９Ｃのユニットケースであり、これらユニットケース９ｗは、蒸発器１０，１０Ａ、電気ヒータ１４，１６、庫内ファン１１，１３，１５などの取り付け基台になるとともに、蒸発器１０，１０Ａの風路部や電気ヒータ１４，１６の風路部に対して循環空気ａ１〜ａ３を通風するための通風路を形成する。
【００３６】
図５，図６に示す如く、第１商品庫４Ａと第２商品庫４Ｂとを仕切る断熱仕切壁１８には、その仕切壁１８を挟んで隣接させる状態に配置した第１温調ユニット９Ａと第２温調ユニット９Ｂとの間において第１及び第２の２つの連通口１９ａ，１９ｂを形成してあり、また、第１温調ユニット９Ａには、蒸発器１０の風路部を２つの部分風路部ｆ１，ｆ２に分けて、その一方の部分風路部ｆ１を第１庫内ファン１１による循環空気ａ１の通過経路にするとともに、他方の部分風路部ｆ２の入口を第１連通口１９ａに連通させる入口側風路部分、及び、他方の部分風路部ｆ２の出口を第２連通口１９ｂに連通させる出口側風路部分を第１温調ユニット９Ａのユニットケース９ｗ内に仕切り形成して、第１及び第２連通口１９ａ，１９ｂとともにＵ字状風路２０を形成する内部仕切２１を設けてある。
【００３７】
これに対し、第２温調ユニット９Ｂに装備した切換ダンパ装置１２は、図６〜図９に示す如く、互いの縦向き回転軸芯ｐ１，ｐ２が平行で、それら回転軸芯ｐ１，ｐ２上に各別に配置した連動ギア２２ａ，２２ｂどうしの咬合により互いに対象的に回動する形態で連動動作する一対の第１及び第２ダンパ羽根２３ａ，２３ｂを備え、図６に示す如く両ダンパ羽根２３ａ，２３ｂを断熱仕切壁１８に沿わせる姿勢にして、第１ダンパ羽根２３ａにより第１連通口１９ａ（後述する迂回風路２０の入口側風路部分の入口）を閉じ、かつ、第２ダンパ羽根２３ｂにより第２連通口１９ｂ（後述する迂回風路２０の出口側風路部分の出口）を閉じるのに対し、第２温調ユニット９Ｂのユニットケース９ｗ内に形成した短絡風路としての短絡用通気口２４を開く短絡循環用位置と、図７に示す如く両ダンパ羽根２３ａ，２３ｂを重ね合わせ姿勢にして、第２温調ユニット９Ｂのユニットケース９ｗ内における短絡用通気口２４を両ダンパ羽根２３ａ，２３ｂにより閉じるのに対し、第１及び第２連通口１９ａ，１９ｂを開く迂回循環用位置とにわたって両ダンパ羽根２３ａ，２３ｂを切り換わり動作させる構成にしてある。
【００３８】
つまり、この切換ダンパ装置１２は、両ダンパ羽根２３ａ，２３ｂを上記の迂回循環用位置に切り換えることにより、第２庫内ファン１３による循環空気ａ２を図７に示す如く迂回風路としての前記Ｕ字状風路２０を通じて迂回的に隣の第１温調ユニット９Ａにおける蒸発器１０の部分風路部ｆ２に通過させる形態で循環させる迂回循環状態を現出し、また、両ダンパ羽根２３ａ，２３ｂを上記の短絡循環用位置に切り換えることにより、第２庫内ファン１３による循環空気ａ２を図６に示す如くＵ字状風路２０に対する短絡風路としての短絡用通気口２４を通じて第１温調ユニット９Ａにおける蒸発器１０の部分風路部ｆ２に対し非通過の状態で循環させる短絡循環状態を現出する。
【００３９】
そして、第１及び第２商品庫４Ａ，４Ｂについては、切換ダンパ装置１２を図７に示す迂回循環状態の側に切り換えた状態において、第１温調ユニット９Ａにおける蒸発器１０を冷却作用させ、かつ、第２温調ユニット９Ｂにおける電気ヒータ１４の加熱作用を停止させて、第１庫内ファン１１及び第２庫内ファン１３を運転することで、第１及び第２商品庫４Ａ，４Ｂの両方の庫内を第１温調ユニット９Ａの蒸発器１０により冷却する２冷庫並列モードを実施し、また、切換ダンパ装置１２を図６に示す短絡循環状態の側に切り換えた状態において、第１温調ユニット９Ａにおける蒸発器１０を冷却作用させ、かつ、第２温調ユニット９Ｂにおける電気ヒータ１４を加熱作用させて、第１庫内ファン１１及び第２庫内ファン１３を運転することで、第１商品庫４Ａの庫内を蒸発器１０により冷却し、かつ、第２商品庫４Ｂの庫内を電気ヒータ１４により加熱する冷温庫並列モードを実施するようにしてある。
【００４０】
また一方、第３商品庫４Ｃについては、第３温調ユニット９Ｃにおける第３商品庫用蒸発器１０Ａを冷却作用させ、かつ、第３温調ユニット９Ｃにおける電気ヒータ１６の加熱作用を停止させて第３庫内ファン１５を運転することで、第３商品庫４Ｃの庫内を第３商品庫用蒸発器１０Ａにより冷却する第３商品庫冷却モードを、上記の２冷庫並列モード及び冷温庫並列モードの夫々と並行する形態で実施し、また、第３温調ユニット９Ｃにおける第３商品庫用蒸発器１０Ａの冷却作用を停止させ、かつ、第３温調ユニット９Ｃにおける電気ヒータ１６を加熱作用させて第３庫内ファン１５を運転することにより、第３商品庫４Ｃの庫内を電気ヒータ１６により加熱する第３商品庫加熱モードを、上記の２冷庫並列モード及び冷温庫並列モードの夫々と並行する形態で実施するようにしてある。
【００４１】
なお、図６に示す如く、第１及び第２ダンパ羽根２３ａ，２３ｂの夫々において、それらダンパ羽根２３ａ，２３ｂが短絡循環用位置にあるときに仕切壁１８の第１及び第２連通口１９ａ，１９ｂに対して閉塞作用する羽根部分には断熱材Ｄを付設してある。
【００４２】
２５は一方の連動ギア２２ａに咬合させた駆動ギア２５ａを回転させて両ダンパ羽根２３ａ，２３ｂを操作する駆動手段としての減速機付き電動モータ、２６は一方のダンパ羽根２３ｂとの接触により両ダンパ羽根２３ａ，２３ｂが迂回循環用位置に至ったことを検出するリミットスイッチであり、上記の切換ダンパ装置１２では、迂回循環状態への切換指令が付与されると、リミットスイッチ２６とダンパ羽根２３ｂとの接触がリミットスッチ２６により検出されるまで、両ダンパ羽根２３ａ，２３ｂを迂回循環用位置の側へ回動させる方向に電動モータ２５を駆動して、両ダンパ羽根２３ａ，２３ｂを迂回循環用位置で回動停止させ、また逆に、短絡循環状態への切換指令が付与されると、両ダンパ羽根２３ａ，２３ｂを短絡循環用位置の側へ回動させる方向に電動モータ２５を設定時間だけ駆動して、両ダンパ羽根２３ａ，２３ｂを短絡循環用位置で回動停止させるようにしてある。
【００４３】
前記の各蒸発器１０，１０Ａとともに冷凍回路Ｒを形成する圧縮機２７及び凝縮器２８は機体ケース２の内部において第１〜第３商品庫４Ａ〜４Ｃの下方の庫外に配置してあり、そして、この自動販売機では、図１０に示す如く圧縮機２７−凝縮器２８―電子制御膨張弁２９−蒸発器１０−圧縮機２７の順に冷媒を循環させる冷凍回路Ｒにおいて、電子制御膨張弁２９と蒸発器１０との直列接続組とは並列に、電磁開閉弁３０とキャピラリーチューブ３１と第３商品庫用蒸発器１０Ａとの直列接続組を付加装備してある。
【００４４】
つまり、２冷庫並列モード又は冷温庫並列モードに並行して第３商品庫冷却モードを実施する場合には、電磁開閉弁３０を開弁して蒸発器１０及び第３商品庫用蒸発器１０Ａの両方に冷媒を通過させる状態で圧縮機２７による冷媒循環運転を実施し、これにより、凝縮器２８を外気ファン３１による通風外気ｏａに対し放熱作用させながら、蒸発器１０及び第３商品庫用蒸発器１０Ａを各々の風路部ｆ１，ｆ２，ｆ３の通過空気ａ１，ａ２，ａ３に対して冷却作用させる。
【００４５】
また、２冷庫並列モード又は冷温庫並列モードに並行して第３商品庫加熱モードを実施する場合には、電磁開閉弁３０を閉弁して第３商品庫用蒸発器１０Ａにおける冷媒通過を断った状態で圧縮機２７による冷媒循環運転を実施し、これにより、第３商品庫用蒸発器１０Ａの冷却作用を停止させた状態で、凝縮器２８を外気ファン３１による通風外気ｏａに対し放熱作用させながら、蒸発器１０をその風路部ｆ１，ｆ２の通過空気ａ１，ａ２に対して冷却作用させる。
【００４６】
３２ａは蒸発器１０の入口における冷媒の温度ｔｉを検出する入口温センサ、３２ｂは蒸発器１０の出口における冷媒の温度ｔｏを検出する出口温センサ、３３は制御器であり、この制御器３３は、管理者の付与指令に応じて前記の２冷庫並列モード、冷温庫並列モード、第３商品庫冷却モード、第３商品器加熱モードを選択的に実行する。
【００４７】
また、この制御器３３は、電子制御膨張弁２９に対する制御手段として、上記各モードごとの制御プログラムに従い、蒸発器１０の出口における冷媒の過熱度を所定の適正値に維持するように、入口温センサ３２ａ及び出口温センサ３２ｂの検出情報に基づき電子制御膨張弁２９を制御する。
【００４８】
なお、この制御器３３は、各商品庫４Ａ〜４Ｃの庫内温度を検出する庫内温度センサ（図示省略）の検出情報に基づき、上記各モードにおいて各商品庫４Ａ〜４Ｃの庫内温度を設定温度に保つように、圧縮機２７，切換ダンパ装置１２，電磁開閉弁３０、各電気ヒータ１４，１７などを操作する庫内温度制御も合わせ実行するものにしてある。
【００４９】
〔別の実施形態〕
次に別実施形態を列記する。
【００５０】
請求項１に係る発明の実施において、切換手段は前述の実施形態で示した切換ダンパ装置１２の如き構造のものに限らず、蒸発器１０により冷却した空気を第１及び第２商品庫４Ａ，４Ｂの両方に供給する２冷庫並列モード用の切換状態と、蒸発器１０により冷却した空気を第１商品庫４Ａにのみ供給する冷温庫並列モード用の切換状態とに冷却空気の供給形態を切り換える構造であれば、どのような構造のものであってもよく、例えば、図１１，図１２に示したシャッター装置４２の如き構造のものを駆動手段により切り換え操作するものであってもよい。
【００５１】
また、切換手段に装備して２冷庫並列モード用の切換状態と冷温庫並列モード用の切換状態との切り換えを実行させる駆動手段には、モータ２５に限らず、シリンダや電磁ソレノイドなど、種々の駆動方式のものを採用できる。
【００５２】
請求項２に係る発明の実施において、切換ダンパ装置１２は前述の実施形態で示した如き構造のもの限らず、第２庫内ファン１３による循環空気ａ２を迂回風路２０を通じて蒸発器１０の風路部に通過させる状態で循環させる迂回循環状態と、第２庫内ファン１３による循環空気ａ２を迂回風路２０に対する短絡風路２４を通じて蒸発器１０の風路部に対し非通過の状態で循環させる短絡循環状態とに、空気循環経路を切り換える構造であれば、どのような構造のものであってもよく、例えば、一枚のダンパ羽根の切り換え操作により迂回循環状態と短絡循環状態との切り換えを行なうものであってもよい。
【００５３】
また、請求項２に係る発明の実施において、迂回風路２０及びそれに対する短絡風路２４の具体的風路構造も前述の実施形態で示した風路構造に限らず、種々の構成変更が可能である。
【００５４】
前述の実施形態では迂回循環用位置において短絡風路２４を第１及び第２ダンパ羽根２３ａ，２３ｂの両方により閉じる構成を示したが、請求項３に係る発明の実施にあたり、迂回循環用位置において短絡風路２４を第１及び第２ダンパ羽根２３ａ，２３ｂのいずれか一方のみにより閉じる構成を採用してもよい。
【００５５】
また、請求項３に係る発明の実施にあたり、短絡循環用位置において迂回風路２０の入口側風路部分と出口側風路部分とを各別に閉じる第１及び第２ダンパ羽根２３ａ，２３ｂを備える切換ダンパ装置１２の具体的構造は、前述の実施形態で示した構造に限らず種々の構成変更が可能であり、例えば、第１及び第２ダンパ羽根２３ａ，２３ｂの夫々を回動に代え摺動により切り換わり動作させる構造であってもよい。
【００５６】
前述の実施形態では、両ダンパ羽根２３ａ，２３ｂが迂回循環用位置に至ったことを一方のダンパ羽根２３ｂとの接触により検出するリミットスイッチ２６を用いる例を示したが、請求項５に係る発明の実施において、両ダンパ羽根２３ａ，２３ｂが迂回循環用位置と短絡循環用位置のうちのいずれか一方の位置に至ったことを検出するセンサには、リミットスイッチに限らず、各種の接触式センサないし無接触式センサを採用できる。
【００５７】
また、前述の実施形態では、短絡循環用位置から迂回循環用位置への切り換え時には、センサ２６により第１及び第２ダンパ羽根２３ａ，２３ｂが迂回循環用位置に至ったことが検出されたとき駆動手段２５を停止し、かつ、迂回用循環用位置から短絡循環用位置への切り換え時には、駆動手段２５の起動時点からの経過時間が設定時間に至ったとき駆動手段２５を停止する方式を示したが、請求項５に係る発明の実施にあたり、これとは逆に、迂回循環用位置から短絡循環用位置への切り換え時には、センサにより第１及び第２ダンパ羽根２３ａ，２３ｂが短絡循環用位置に至ったことが検出されたとき駆動手段２５を停止し、かつ、短絡循環用位置から迂回用循環用位置への切り換え時には、駆動手段２５の起動時点からの経過時間が設定時間に至ったとき駆動手段２５を停止する方式を採用するようにしてもよい。
【００５８】
本発明は冷却や加熱を要する商品であれば、缶飲料やペットボトル飲料に限らず種々の商品の自動販売機に適用できる。
【図面の簡単な説明】
【図１】扉を開いた状態を示す自動販売機の斜視図
【図２】第１商品庫下部の側面視断面図
【図３】第２商品庫下部の側面視断面図
【図４】第３商品庫下部の側面視断面図
【図５】商品庫下部の平面視断面図
【図６】短絡循環状態を示す要部の平面視断面図
【図７】迂回循環状態を示す要部の平面視断面図
【図８】切換ダンパ装置の拡大側面図
【図９】切換ダンパ装置の拡大平面図
【図１０】冷凍回路の構成図
【図１１】従来例を示す自動販売機の装置構成図
【図１２】従来例を示すシャッター装置の構造図
【符号の説明】
４Ａ　　　　　　第１商品庫
４Ｂ　　　　　　第２商品庫
１０　　　　　　蒸発器
１１　　　　　　第１庫内ファン
１２　　　　　　切換手段，切換ダンパ装置
１３　　　　　　第２庫内ファン
１４　　　　　　加熱手段
１８　　　　　　仕切部
２０　　　　　　迂回風路
２２ａ，２２ｂ　連動ギア
２３ａ　　　　　第１ダンパ羽根
２３ｂ　　　　　第２ダンパ羽根
２４　　　　　　短絡風路
２５　　　　　　駆動手段
２７　　　　　　圧縮機
２６　　　　　　センサ
２８　　　　　　凝縮器
２９　　　　　　膨張機構
ａ１　　　　　　第１商品庫の庫内空気
ａ２　　　　　　第２商品庫の庫内空気
Ｇ　　　　　　　商品
ｐ１，ｐ２　　　回転軸芯
Ｒ　　　　　　　冷凍回路
【図１】
2004046704.tif 000003
【図２】
2004046704.tif 000004
【図３】
2004046704.tif 000005
【図４】
2004046704.tif 000006
【図５】
2004046704.tif 000007
【図６】
2004046704.tif 000008
【図７】
2004046704.tif 000009
【図８】
2004046704.tif 000010
【図９】
2004046704.tif 000011
【図１０】
2004046704.tif 000012
【図１１】
2004046704.tif 000013
【図１２】
2004046704.tif 000014